(57)【特許請求の範囲】
【請求項１】
複数のコンタクトと、該複数のコンタクトを左右方向に列設させるようにして保持する保持部材と、該保持部材を少なくとも部分的にカバーするシェルとを備えると共に、基板に搭載されて用いられ、前端から後端に向けて挿入された相手方コネクタと嵌合するコネクタであって、
前記シェルは、当該コネクタの前記基板への搭載時に該基板に対向する下板部を有しており、
前記下板部には、当該下板部の前縁から所定距離だけ後方に凹んだ凹部と、前記基板に接続されるグランド部とが形成されており、
前記凹部は、前記前縁から前記所定距離だけ離れて位置する内奥縁と該内奥縁及び前記前縁を結ぶ内側縁とで規定されており、
前記グランド部は、前記内奥縁から前方に向けて突出しており、
前記グランド部は、前記前縁を超えておらず前記凹部内に位置している
コネクタ。
【請求項２】
請求項１記載のコネクタであって、
前記左右方向において、前記グランド部の幅は前記コンタクトの幅よりも大きい
コネクタ。
【請求項３】
請求項１又は請求項２記載のコネクタであって、
前記相手方コネクタは相手方シェルを備えており、
前記シェルは、前記相手方コネクタを誤って上下逆に挿入しようとした際に、前記相手方シェルを受けることにより、その誤挿入を防止するストッパーを備えており、
該ストッパーは、前記内奥縁から前方に向かって延びている
コネクタ。
【請求項４】
請求項１乃至請求項３のいずれかに記載のコネクタであって、
前記相手方コネクタの嵌合部を収容する収容部を備えており、
前記シェルには、内部接点部を有する内部グランド端子が設けられており、
前記内部接点部は、前記収容部内に位置している
コネクタ。
【請求項５】
請求項４記載のコネクタであって、
前記内部グランド端子は後方又は後斜め方向に向かって延びている
コネクタ。
【請求項６】
請求項４又は請求項５記載のコネクタであって、
前記内部グランド端子は前記下板部から延びている
コネクタ。
【請求項７】
請求項１乃至請求項６のいずれかに記載のコネクタであって、
前記シェルは、前記保持部材の上面を少なくとも部分的にカバーする上板部を更に有しており、
前記上板部は、上から見た場合に、略コの字形状を有しており、
当該コネクタを上から見た場合に、前記凹部は略コの字形状の前記上板部で三方を囲まれた領域内に位置しており、前記グランド部は前記上板部と重なっていない
コネクタ。
【発明の詳細な説明】
【技術分野】
【０００１】
本発明は、基板に搭載固定されるコネクタであって、ケーブル等を接続された相手方コネクタと嵌合するコネクタに関する。
【背景技術】
【０００２】
この種のコネクタとしては、例えば、特許文献１に開示されたものがある。特許文献１のコネクタ（特許文献１の図４参照）は、レセプタクルコネクタであり、ケーブルやＦＰＣ（Flexible Printed Circuit）等を接続されたプラグコネクタ（特許文献１の図１参照）を相手方コネクタとするものである。
【先行技術文献】
【特許文献】
【０００３】
【特許文献１】特開２００９−１９３９１６号公報、図４
【発明の概要】
【発明が解決しようとする課題】
【０００４】
特許文献１のレセプタクルコネクタのグランド部、即ち基板のグランド部に接続される部分はシェルの上板部の側方から基板に向けて延びる部分である。かかる構成では、レセプタクルコネクタのシェルとプラグコネクタのシェル（相手方シェル）との接続部分から基板までの経路が長くなってしまう。
【０００５】
一方、ＥＭＩ（Electro-Magnetic Interference）対策を強化することを考えると、レセプタクルコネクタのシェルとプラグコネクタのシェル（相手方シェル）との接続部分から基板までの経路はできるだけ短い方がよい。
【０００６】
そこで、本発明は、シェルと相手方シェルとの接続部分から基板までの経路をできるだけ短くしてなるコネクタを提供することを目的とする。
【課題を解決するための手段】
【０００７】
コネクタの前端から相手方コネクタを挿入し嵌合する場合、シェルと相手方シェルとの接続部分から基板までの経路をできるだけ短くするためには、基板に接続されるグランド部をシェルの前端近傍、即ち相手方コネクタの相手方嵌合部近傍で、且つシェルの下板部に設けることが好ましい。
【０００８】
しかしながら、例えば、シェルの前縁から前方に延びるようなグランド部を設けると、コネクタと相手方コネクタとの嵌合時に相手方コネクタがグランド部に干渉してしまわないように相手方コネクタをも設計変更しなければならない。かかる設計変更は、相手方コネクタについての設計資産を無駄にするものであり、相手方コネクタの大型化の要因となるものである。また、上記干渉を避けるために相手方コネクタの嵌合部を前後方向に長くすると、信号伝送特性が劣化してしまうという恐れもある。
【０００９】
従って、相手方コネクタについての設計変更を特に要することなく、上述したような目的を達成することが好ましい。本発明は、かかる観点からなされたものであり、具体的には以下に掲げる構成を備えるものである。
【００１０】
即ち、本発明によれば、第１のコネクタとして、
複数のコンタクトと、該複数のコンタクトを左右方向に列設させるようにして保持する保持部材と、該保持部材を少なくとも部分的にカバーするシェルとを備えると共に、基板に搭載されて用いられ、前端から後端に向けて挿入された相手方コネクタと嵌合するコネクタであって、
前記シェルは、当該コネクタの前記基板への搭載時に該基板に対向する下板部を有しており、
前記下板部には、当該下板部の前縁から所定距離だけ後方に凹んだ凹部と、前記基板に接続されるグランド部とが形成されており、
前記凹部は、前記前縁から前記所定距離だけ離れて位置する内奥縁と該内奥縁及び前記前縁を結ぶ内側縁とで規定されており、
前記グランド部は、前記内奥縁から前方に向けて突出している
コネクタが得られる。
【００１１】
また、本発明によれば、第２のコネクタとして、第１のコネクタであって、
前記グランド部は、前記前縁を超えておらず前記凹部内に位置している
コネクタが得られる。
【００１２】
また、本発明によれば、第３のコネクタとして、第１又は第２のコネクタであって、
左右方向において、前記グランド部の幅は前記コンタクトの幅よりも大きい
コネクタが得られる。
【００１３】
また、本発明によれば、第４のコネクタとして、第１乃至第３のいずれかのコネクタであって、
前記相手方コネクタは相手方シェルを備えており、
前記シェルは、前記相手方コネクタを誤って上下逆に挿入しようとした際に、前記相手方シェルを受けることにより、その誤挿入を防止するストッパーを備えており、
該ストッパーは、前記内奥縁から前方に向かって延びている
コネクタが得られる。
【００１４】
また、本発明によれば、第５のコネクタとして、第４のコネクタであって、
前記ストッパーは、少なくとも２つあり、
前記凹部の前記左右方向の中心を挟む左領域及び右領域の２つの領域に分けた場合に、前記ストッパーは該左領域と該右領域に少なくとも一つずつ位置している
コネクタが得られる。
【００１５】
また、本発明によれば、第６のコネクタとして、第１乃至第５のいずれかのコネクタであって、
前記相手方コネクタの嵌合部を収容する収容部を備えており、
前記シェルには、内部接点部を有する内部グランド端子が設けられており、
前記内部接点部は、前記収容部内に位置している
コネクタが得られる。
【００１６】
また、本発明によれば、第７のコネクタとして、第６のコネクタであって、
前記内部グランド端子は後方又は後斜め方向に向かって延びている
コネクタが得られる。
【００１７】
また、本発明によれば、第８のコネクタとして、第６又は第７のコネクタであって、
前記内部グランド端子は前記下板部から延びている
コネクタが得られる。
【００１８】
また、本発明によれば、第９のコネクタとして、第１乃至第８のいずれかのコネクタであって、
前記シェルは、前記保持部材の上面を少なくとも部分的にカバーする上板部を更に有しており、
前記上板部は、上から見た場合に、略コの字形状を有しており、
当該コネクタを上から見た場合に、前記凹部は略コの字形状の前記上板部で三方を囲まれた領域内に位置しており、前記グランド部は前記上板部と重なっていない
コネクタが得られる。
【発明の効果】
【００１９】
本発明によれば、シェルの下板部の前縁から後方に向かって凹んだ凹部を設け、且つ、その凹部内から前方に突出したグランド部を設けたことから、相手方コネクタを設計変更することなく嵌合時における相手方コネクタとグランド部の干渉を避けつつ、シェルと相手方シェルとの接続部分から基板までの経路を短くすることができる。
【図面の簡単な説明】
【００２０】
【図１】本発明の実施の形態によるコネクタを示す斜視図である。
【図２】図１のコネクタを示す平面図である。
【図３】図１のコネクタを示すIII--III線斜視片側断面図である。
【図４】図１のコネクタに含まれるシェルを示す斜視図である。
【図５】図１のコネクタを示すＶ--Ｖ線断面図である。
【図６】図２のコネクタの変形例を示す平面図である。
【図７】図２のコネクタの他の変形例を示す平面図である。
【図８】図２のコネクタの更に他の変形例を示す平面図である。
【発明を実施するための形態】
【００２１】
図１乃至３及び図５を参照すると、本発明の実施の形態によるコネクタ１０は、複数のコンタクト１００と、絶縁体からなる保持部材２００と、金属製のシェル３００とを備えている。コンタクト１００は、保持部材２００に保持されており、それによって左右方向（Ｙ方向）に列設させられている。シェル３００は、保持部材２００を少なくとも部分的にカバーしている。本実施の形態によるコネクタ１０は、基板（図示せず）に搭載されて用いられるレセプタクルコネクタである。図１、図３及び図５に示されるように、コネクタ１０は、前端１２側に開口した収容部１６を有しており、前端１２から後端１４に向けて（＋Ｘ方向に沿って）相手方コネクタ（プラグコネクタ：図示せず）の嵌合部を収容部１６に対して挿入することにより、相手方コネクタと嵌合・接続するものである。即ち、コネクタ１０に対する相手方コネクタの嵌合抜去方向は、コネクタ１０の前後方向（Ｘ方向）である。
【００２２】
図１及び図４を参照すると、本実施の形態によるシェル３００は、一枚の金属板をプレス加工して得られるものであり、コネクタ１０の基板（図示せず）への搭載時に基板に近接配置され且つ基板と対向する下板部３１０と、保持部材２００の上面を少なくとも部分的にカバーする上板部３２０と、下板部３１０と上板部３２０とを左右両端にて連結する２つの連結部３３０とを備えている。
【００２３】
下板部３１０には、その前縁３１２から所定距離だけ後方（＋Ｘ方向）に凹んだ凹部３４０が形成されている。詳しくは、凹部３４０は、前縁３１２から所定距離だけ後方に離れて位置する内奥縁３４２と、内奥縁３４２と前縁３１２とを結ぶ２つの内側縁３４４とで規定されるものであり、内奥縁３４２の長さは内側縁３４４の長さよりもかなり長い。そのため、図２に示されるように、凹部３４０は、左右方向に長い形状を有している。なお、図に示されるように凹部３４０は、グランド部３５０とストッパー３６０とにより、複数に分割された形状を呈している。
【００２４】
図１、図２及び図３に示されるように、本実施の形態による下板部３１０には、複数のグランド部３５０と、複数のストッパー３６０とが設けられている。グランド部３５０は４カ所あり、ストッパー３６０は３カ所ある。本実施の形態においては、グランド部３５０とストッパー３６０とが左右方向において交互に配置されている。
【００２５】
詳しくは、グランド部３５０は、凹部３４０の内奥縁３４２から前方（−Ｘ方向）に向かって突出している。本実施の形態によるグランド部３５０の前端は下板部３１０の前縁３１２を超えておらず、従って、本実施の形態においては、グランド部３５０の全体が上方から見た場合に凹部３４０内のみに位置しており（図２参照）、凹部３４０の外には出ていない。このグランド部３５０は、基板（図示せず）に設けられたグランドパターン（図示せず）に半田付けされる。左右方向において、グランド部３５０の幅はコンタクト１００の幅よりも大きい。このグランド部３５０の個数については、特に制限はない。例えば、図６に示されるコネクタ１０′のシェル３００′のように３つであってもよいし、図７に示されるコネクタ１０″のシェル３００″のように５つであってもよい。但し、グランド部３５０の個数は、ＥＭＩ対策の観点からは、多ければ多いほどよい。
【００２６】
ストッパー３６０は、グランド部３５０と同様に、凹部３４０の内奥縁３４２から前方（−Ｘ方向）に向かって突出している。このストッパー３６０は、コネクタ１０に対して相手方コネクタ（図示せず）を誤って上下逆に挿入しようとした際に相手方コネクタの有する相手方シェル（図示せず）を受けることにより、コネクタ１０に対する相手方コネクタの誤挿入を防止するためのものである。このストッパー３６０は、コネクタ１０に対する相手方コネクタの右斜め挿入及び左斜め挿入の双方において上記誤挿入を防止するため、凹部３４０をその左右方向の中心を挟む左領域及び右領域の２つの領域に分けた場合に、それら左領域と右領域とに少なくとも一つずつ設けられていることが望ましい。即ち、ストッパー３６０は、少なくとも２つ設けられていることが好ましい。但し、ストッパー３６０の個数についても特に制限はなく、例えば、図６に示されるコネクタ１０′のシェル３００′のように２つであってもよいし、図７に示されるコネクタ１０″のシェル３００″のように４つであってもよい。
【００２７】
図３及び図５を参照すると、本実施の形態による下板部３１０には、収容部１６内にて相手方シェル（図示せず）と接続する複数の内部グランド端子３７０が更に設けられている。詳しくは、内部グランド端子３７０の夫々は相手方シェル（図示せず）に接続する内部接点部３７２を備えている。内部グランド端子３７０は、コネクタ１０の相手方コネクタとの未嵌合時において内部接点部３７２が収容部１６内に位置するように、後方（＋Ｘ方向）又は後斜め方向（＋Ｘ方向と＋Ｚ方向の合成方向）に下板部３１０から延びている。この内部グランド端子３７０を設けることにより、シェル３００と相手方シェル（図示せず）との接触を更に強固なものとすると共にシェル３００と相手方シェル（図示せず）との接続部分からグランド部３５０までの距離を短くすることができることから、ＥＭＩ特性の更なる向上を図ることができる。
【００２８】
図２から理解されるように、本実施の形態による上板部３２０は、上から見た場合に、略コの字形状を有しており、下板部３１０の凹部３４０、グランド部３５０及びストッパー３６０は、その略コの字形状の上板部３２０で三方を囲まれた領域内に位置している。そのため、グランド部３５０は上板部３２０と重なっておらず、基板（図示せず）への半田付けを行った際に半田付けの状態を視認することができる。この上板部３２０には、左右両端から下側に向けて断面Ｌ字状に延びるホールドダウン３２２が設けられている。ホールドダウン３２２は基板（図示せず）に対して半田付けされ、それによってコネクタ１０は基板に更に強固に固定される。
【００２９】
本実施の形態による連結部３３０は、夫々、下板部３１０の右端（又は左端）近傍の前端と上板部３２０の右端（又は左端）近傍の前端とを連結している。そのため、コネクタ１０と相手方コネクタ（図示せず）との嵌合時に相手方コネクタの一部がシェル３００に当たったとしても上板部３２０がめくれてしまったりすることがない。
【００３０】
上述した本発明の実施の形態において、グランド部３５０はコネクタ１０の前端１２側（即ち、相手方コネクタの挿入側）に設けられていることから、シェル３００と相手方シェルとの接続部分から基板までの経路を短くすることができ、高い耐ＥＭＩ特性を得ることができる。また、かかるグランド部３５０を下板部３１０の前縁３１２から後方に凹んだ凹部３４０内に設けたことから相手方コネクタの設計に際してグランド部３５０の存在に起因した設計を行う必要がない。
【００３１】
更に、コネクタ１０の前端１２近傍でグランド部３５０が基板（図示せず）に半田付けされることから、コネクタ１０の前端１２近傍が基板（図示せず）にしっかりと固定されることになるので、ケーブルの煽り等により相手方コネクタを通じて加えられる好ましくない力に対しても耐性が高くなり、当該力による破損等の問題も生じにくくすることができる。詳しくは、相手方コネクタ（図示せず）に接続されるケーブル等が煽られたりした際などにコネクタ１０に好ましくない力が加わる場合がある。しかし、コネクタ１０が搭載固定される基板（図示せず）に対してグランド部３５０を半田付けすることにより、相手方コネクタ（図示せず）により近い部位であるコネクタ１０の前端１２近傍を基板（図示せず）に固定することができることから、本実施の形態によれば、上述した好ましくない力に対する耐性を高めることができる。
【００３２】
以上、具体的な例を掲げて本発明について説明してきたが、本発明は詳述した実施の形態に限定されるものではない。例えば、図１及び図６と図７を比較すれば理解されるように、コンタクト１００の本数などには特に限定はない。
【００３３】
また、上述した実施の形態によるコネクタ１０は、グランド部３５０とストッパー３６０とを左右方向に交互に配してなるものであったが、本発明はこれに限定されるものではなく、グランド部３５０とストッパー３６０とが交互に配されていなくてもよい。また、ストッパー３６０を省略することとしてもよい。更に、図８に示されるコネクタ１０ａのシェル３００ａのように、ストッパー３６０の省略により空いたスペースに対してもグランド部３５０を配することとすると、より耐ＥＭＩ特性の向上を図ることができる。
【符号の説明】
【００３４】
１０，１０′，１０″，１０ａ        コネクタ
１２        前端
１４        後端
１６        収容部
１００        コンタクト
２００        保持部材
３００，３００′，３００″，３００ａ        シェル
３１０        下板部
３１２        前縁
３２０        上板部
３２２        ホールドダウン
３３０        連結部
３４０        凹部
３４２        内奥縁
３４４        内側縁
３５０        グランド部
３６０        ストッパー
３７０        内部グランド端子
３７２        内部接点部
【図１】
0005480652.tif 000002
【図２】
0005480652.tif 000003
【図３】
0005480652.tif 000004
【図４】
0005480652.tif 000005
【図５】
0005480652.tif 000006
【図６】
0005480652.tif 000007
【図７】
0005480652.tif 000008
【図８】
0005480652.tif 000009